(57)【要約】      （修正有）【課題】金型の部品点数の削減を図り、各構成部品単位での管理が容易なスピーカー装置を提供する。【解決手段】スピーカーユニットが取り付けられる第１のキャビネットと、その第１のキャビネットと嵌合する第２のキャビネットと、第１のキャビネットと第２のキャビネットとを嵌合させたときに作製されるキャビネットの一側面又はその一側面と対向する他の側面に取り付けられる文字表示用及び金具取付用サイドパネルとを、備えて構成される。車室内に少なくとも左右チャンネル用の一対のスピーカー装置を設ける必要がある場合に、第１のキャビネット、第２のキャビネット、文字表示用サイドパネル及び金具取付用サイドパネルの各構成部品を、左チャンネル用のスピーカー装置と右チャンネル用のスピーカー装置とで共用することができる。【選択図】図１
2006310961.tif 000002
【特許請求の範囲】
【請求項１】
スピーカーユニットが取り付けられる第１のキャビネットと、
前記第１のキャビネットと嵌合する第２のキャビネットと、
前記第１のキャビネットと前記第２のキャビネットとを嵌合させたときに前記第１のキャビネット及び前記第２のキャビネットの一側面又は前記一側面と対向する他の側面に取り付けられる第１及び第２のサイドパネルとを、備え、
前記一側面と前記他の側面は同一形状に形成されており、前記第１のサイドパネル及び前記第２のサイドパネルの各々は、前記一側面及び前記他の側面と嵌合する形状に形成されていることを特徴とするスピーカー装置。
【請求項２】
前記第２のキャビネットの前記一側面及び前記他の側面には、前記スピーカーユニットのボイスコイルと電気的に接続された配線を外部へ導出するための開口が形成さていると共に、前記一側面に形成された開口は、前記他の側面に形成された開口に対応する位置に形成されていることを特徴とする請求項１に記載のスピーカー装置。
【請求項３】
前記第２のサイドパネルは、当該第２のサイドパネルを前記一側面又は前記他の側面に取り付けたときに、前記開口に対応する位置に開口を有することを特徴とする請求項２に記載のスピーカー装置。
【請求項４】
前記第２のキャビネットは、被取付部へ取り付けるための取付用金具が取り付けられる取付部分を有することを特徴とする請求項１に記載のスピーカー装置。
【請求項５】
前記一側面又は前記他の側面に取り付けられる側の前記第１のサイドパネルの形状は、前記一側面又は前記他の側面に取り付けられる側の前記第２のサイドパネルの形状と略同一になっていることを特徴とする請求項１に記載のスピーカー装置。
【請求項６】
前記第１のサイドパネルは、前記一側面及び前記他の側面に形成された前記開口と対応する位置にバスレフダクトを有することを特徴とする請求項１に記載のスピーカー装置。
【発明の詳細な説明】
【技術分野】
【０００１】
本発明は、スピーカー装置における筐体の構造に関する。
【背景技術】
【０００２】
従来より、車載用のスピーカーは、ドアのインナーパネルや後部座席の後方に設けられたリアトレイなどに取り付けられた状態で用いられるのが一般的である。しかし、リアトレイが設けられていない車種もあることから、リアトレイ以外の場所に取り付け可能な車載用スピーカーが望まれる。
【０００３】
このような状況を背景に、近年、サテライト型スピーカーなどと称され、リアトレイ以外の場所、例えば、車室内におけるトリムやアシストグリップなどに取り付けられた状態で用いられる車載用スピーカーが実用化されるに至っている。
【０００４】
このようなサテライト型スピーカーを車載用として用いる場合、通常は、左右チャンネル用の一対のスピーカーが用いられる。この場合、その一対のスピーカーのうち一方は、例えば車室内の後部左側に存在するリアトリムに取り付けられた状態で用いられると共に、他方は、例えば車室内の後部右側に存在するリアトレイに取り付けられた状態で用いられる。このため、左チャンネル用スピーカーは、車両の進行方向に対して車室内における左側の空間に音波を放射する役割を担っていると共に、右チャンネル用スピーカーは、車両の進行方向に対して車室内における右側の空間に音波を放射する役割を担っている。
【０００５】
この種のスピーカーとして、例えば、車両の内張材の切断加工を必要とせず、取付が簡単なスピーカーの取付構造を有する車載用天井吊り下げスピーカーが提案されている（例えば、特許文献１を参照）。このスピーカーでは、スピーカケースが球面回動自在になっており、後部座席の乗員等に音の放射中心を向けることができるようになっている。
【０００６】
また、リアトレイ以外の場所に簡単にスピーカキャビネットを取り付けるための車載用スピーカ取り付け器具が提案されている（例えば、特許文献２を参照）。この特許文献２に記載の車載用スピーカ取り付け器具は、車内のリアゲートの上部縁に係合する第１係合部と、サイドゲートの上部縁に係合する第２係合部と、第１係合部と第２係合部に回転自在に連結されるシャフトとから構成されている。スピーカキャビネットは、シャフトと車内天井とによって挟み込むように固定される。このため、リアトレイ以外の場所に簡単にスピーカキャビネットを取り付けることができるようになっている。
【０００７】
【特許文献１】特開２００２−１４４９７３号公報
【特許文献２】特開平１０−１５７５２３号公報
【発明の開示】
【発明が解決しようとする課題】
【０００８】
上記のようなサテライト型スピーカーでは、左チャンネル用スピーカーと右チャンネル用スピーカーとで、被取付部へ取り付けるための取付用金具の取り付け位置が異なる。また、その両者のスピーカーでは、車室内に対する取り付け向きも異なる。このため、左チャンネル用スピーカーと右チャンネル用スピーカーとで、それぞれ、左チャンネル用のキャビネットと、右チャンネル用のキャビネットとを作り分けて、左右チャンネル用スピーカーを構成するようにしている。このように、左チャンネル用スピーカーと右チャンネル用スピーカーとで、キャビネットなどの構成部品を作り分けるようにしているので、金型の部品点数が増え、また、構成部品レベルの段階から作り分け、管理をしなければならないという問題がある。
【０００９】
本発明が解決しようとする課題としては、上記のようなものが例として挙げられる。本発明は、金型の部品点数の削減を図り、構成部品単位毎の管理が容易なスピーカー装置を提供することを課題とする。
【課題を解決するための手段】
【００１０】
請求項１に記載の発明は、スピーカー装置は、スピーカーユニットが取り付けられる第１のキャビネットと、前記第１のキャビネットと嵌合する第２のキャビネットと、前記第１のキャビネットと前記第２のキャビネットとを嵌合させたときに前記第１のキャビネット及び前記第２のキャビネットの一側面又は前記一側面と対向する他の側面に取り付けられる第１及び第２のサイドパネルとを、備え、前記一側面と前記他の側面は同一形状に形成されており、前記第１のサイドパネル及び前記第２のサイドパネルの各々は、前記一側面及び前記他の側面と嵌合する形状に形成されていることを特徴とする。
【発明を実施するための最良の形態】
【００１１】
本発明の１つの観点では、スピーカー装置は、スピーカーユニットが取り付けられる第１のキャビネットと、前記第１のキャビネットと嵌合する第２のキャビネットと、前記第１のキャビネットと前記第２のキャビネットとを嵌合させたときに前記第１のキャビネット及び前記第２のキャビネットの一側面又は前記一側面と対向する他の側面に取り付けられる第１及び第２のサイドパネルとを、備え、前記一側面と前記他の側面は同一形状に形成されており、前記第１のサイドパネル及び前記第２のサイドパネルの各々は、前記一側面及び前記他の側面と嵌合する形状に形成されている。
【００１２】
上記のスピーカー装置は、音の発生源となるスピーカーユニットが取り付けられる第１のキャビネットと、その第１のキャビネットと嵌合する第２のキャビネットと、第１のキャビネットと第２のキャビネットとを嵌合させたときに、第１のキャビネット及び第２のキャビネットの一側面又はその一側面と対向する他の側面に取り付けられる第１及び第２のサイドパネルとを、備えて構成される。なお、ここでは、便宜上、第１のキャビネットと第２のキャビネットとを嵌合させたものを、単に「キャビネット」と呼ぶ。
【００１３】
特に、このスピーカー装置では、キャビネットの一側面及び当該キャビネットの他の側面は同一の形状に形成されており、第１のサイドパネル及び第２のサイドパネルの各々は、いずれも前記一側面及び前記他の側面と嵌合する形状に形成されている。好適な例では、前記一側面又は前記他の側面に取り付けられる側の前記第１のサイドパネルの形状は、前記一側面又は前記他の側面に取り付けられる側の前記第２のサイドパネルの形状と略同一になっている。
【００１４】
このため、車載用のスピーカー装置など、車室内に少なくとも左右チャンネル用の一対のスピーカー装置を設ける必要がある場合に、第１のキャビネット、第２のキャビネット、第１のサイドパネル及び第２のサイドパネルの各構成部品を、左チャンネル用のスピーカー装置と右チャンネル用のスピーカー装置とで共用することができる。よって、そのような各構成部品を共用することのできないタイプのスピーカー装置と比べて、上記各構成部品を作製するための金型の部品点数を削減することができる。また、上記各構成部品の点数を減らすことができるので、当該各構成部品単位での管理が容易になる。
【００１５】
上記のスピーカー装置の一つの態様では、前記第２のキャビネットの前記一側面及び前記他の側面には、前記スピーカーユニットのボイスコイルと電気的に接続された配線を外部へ導出するための開口が形成さていると共に、前記一側面に形成された開口は、前記他の側面に形成された開口に対応する位置に形成されている。
【００１６】
この態様によれば、第２のキャビネットの前記一側面及び前記他の側面には、スピーカーユニットのボイスコイルと電気的に接続された配線を外部へ導出するための開口が形成さている。これにより、スピーカーユニットのボイスコイルと電気的に接続された配線を開口を通じて外部へ導出することができる。よって、当該配線とアンプ側の出力端子との接続が可能となる。また、第２のキャビネットの前記一側面に形成された開口は、第２のキャビネットの前記他の側面に形成された開口に対応する位置に形成されている。このため、当該配線を前記一側面に形成された開口を通じて外部へ導出することができる一方、その反対に、当該配線を前記他の側面に形成された開口を通じて外部へ導出することができる。よって、左チャンネル用のスピーカー装置と、右チャンネル用のスピーカー装置とで当該配線の外部への導出方向を異ならせる必要がある場合に、これを実現できる。つまり、左チャンネル用のスピーカー装置と、右チャンネル用のスピーカー装置とで当該配線を外部へ導出させるときに当該各開口を共用できる。
【００１７】
上記のスピーカー装置の他の態様では、第２のサイドパネルは、当該第２のサイドパネルを前記一側面又は前記他の側面に取り付けたときに、第２のキャビネットの開口に対応する位置に開口を有する。
【００１８】
この態様によれば、第２のサイドパネルは、当該第２のサイドパネルを前記一側面又は前記他の側面に取り付けたときに、第２のキャビネットの開口に対応する位置に開口を有している。これにより、スピーカーユニットのボイスコイルと電気的に接続された配線を、第２のキャビネットの開口、第２のサイドパネルの開口を通じて外部へと導出することができる。
【００１９】
上記のスピーカー装置の他の態様では、前記第２のキャビネットは、被取付部へ取り付けるための取付用金具が取り付けられる取付部分を有する。よって、第２のキャビネットの取付部分に取付用金具（例えば、角度調整が可能なフレキシブルアームなどの取付用金具）を取り付けることにより、スピーカー装置をその取付用金具を介して被取付部へ取り付けることができる。
【００２０】
上記のスピーカー装置の他の態様では、前記第１のサイドパネルは、前記一側面及び前記他の側面に形成された前記開口と対応する位置にバスレフダクトを有する。
【００２１】
この態様では、第１のサイドパネルは、前記一側面及び前記他の側面に形成された第２のキャビネットの開口と対応する位置にバスレフダクトを有している。このため、第１のサイドパネルを前記一側面に取り付けたときには、前記一側面側にバスレフダクトを設けることができる一方、その反対に、第１のサイドパネルを前記他の側面に取り付けたときには、前記他の側面にバスレフダクトを設けることができる。よって、左チャンネル用のスピーカー装置と、右チャンネル用のスピーカー装置とでバスレフダクトを共用できる。
【実施例】
【００２２】
以下、図面を参照して本発明の好適な各種の実施例について説明する。
【００２３】
［第１実施例］
（スピーカー装置の構成）
まず、図１及び図２を参照して、本発明の第１実施例に係るスピーカー装置１００の構成等について説明する。
【００２４】
図１は、本発明の第１実施例に係るスピーカー装置を正面方向、背面方向、左側面及び右側面方向から夫々観察したときの各図を示す。具体的には、図１（ｃ）はスピーカー装置１００の正面図を、また、図１（ａ）は、スピーカー装置１００の背面図を夫々示す。図１（ｂ）は、図１（ａ）におけるスピーカー装置１００を矢印Ｙ１方向から観察したときの左側面図を示す。図１（ｄ）は、図１（ａ）におけるスピーカー装置用１００を矢印Ｙ１方向と逆の矢印Ｙ２方向から観察したときの右側面図を示す。図２（ａ）は、図１（ｃ）における切断線Ａ−Ａ’に沿った断面図を、また、図２（ｂ）は、図１（ｃ）における切断線Ｂ−Ｂ’に沿った断面図を夫々示す。
【００２５】
スピーカー装置１００は、音の発生源となるスピーカーユニット５０、そのスピーカーユニット５０を収容する筐体、及び、その筐体を被取付部へ取り付けるためのフレキシブルアーム６等を備えて構成される。なお、スピーカー装置１００は、車載用のスピーカー装置として好適なサテライト型スピーカー装置であり、かかるスピーカー装置１００を車載用として用いる場合には、少なくとも左右チャンネル用の一対のスピーカー装置が用いられる。
【００２６】
まず、図２（ｂ）を参照して、スピーカーユニット５０の構成等について説明する。
【００２７】
スピーカーユニット５０は、主として、ヨーク１０、マグネット１１及びプレート１２を含む磁気回路３０と、ボイスコイルボビン１３、ボイスコイル１４、フレーム１５、ダンパー１６、振動板１７、エッジ１８、キャップ１９を含む振動系３１とを備えている。なお、本発明において、スピーカーユニット５０の構成及び駆動方式などは、以下に述べる構成等に限定されるものではない。
【００２８】
まず、磁気回路３０の構成について説明する。磁気回路３０は、外磁型の磁気回路として構成されている。ヨーク１０は、円筒状のポール部１０ａと、そのポール部１０ａの外周壁の下端部から外側へ延在するフランジ部１０ｂとを有している。マグネット１１は、環状の形状をなし、フランジ部１０ｂ上に取り付けられている。プレート１２は、環状の形状をなし、マグネット１１上に取り付けられている。そして、ヨーク１０の要素であるポール部１０ａの外周壁と、プレート１２の内周壁との間に形成された空隙（磁気ギャップ２０）にマグネット１１の磁束を集中させている。
【００２９】
次に、振動系３１の構成について説明する。
【００３０】
ボイスコイルボビン１３は、円筒状の形状をなし、ヨーク１０の要素であるポール部１０ａの外周壁の上端部近傍を覆う位置に設けられる。
【００３１】
ボイスコイル１４は、１つの配線からなり、図示しないプラス及びマイナスのリード線を夫々有し、ボイスコイルボビン１３の外周壁の下端部近傍に巻かれている。プラス側のリード線はＬ（又はＲ）チャンネル信号の入力配線であり、マイナス側のリード線はグランド（ＧＮＤ：接地）信号の入力配線である。プラス及びマイナスの各リード線はそれぞれ図示しない各錦糸線の一端側に接続されていると共に、各錦糸線の他端側は、それぞれフレーム１５の適所に設けられた端子部（図示略）に接続されている。また、その端子部は、アンプ側の出力配線２５にも接続されている。これにより、ボイスコイル１４には、端子部、各錦糸線、プラス及びマイナスの各リード線を介してアンプ側から１チャンネル分の信号や電力が入力される。
【００３２】
フレーム１５は、略椀状の形状をなし、スピーカーユニット５０を構成する様々な構成部品を支持する機能を有する。フレーム１５の下端部はプレート１２上に取り付けられている。
【００３３】
ダンパー１６は、環状の形状をなし、ボイスコイルボビン１３を弾性的に支持する。ダンパー１６の内周縁部はボイスコイルボビン１３の外周壁の上端部近傍に取り付けられている一方、ダンパー１６の外周縁部はフレーム１５の中央部の適当な位置に取り付けられている。
【００３４】
振動板１７は、入力信号に応じた音波を放射する機能を有する。振動板１７は、コーン状の形状をなしている。振動板１７の内周縁部はボイスコイルボビン１３の外周壁の上端部に且つダンパー１６の上側に取り付けられている。
【００３５】
エッジ１８は、環状の平面形状及びΩ状の断面形状を有し、スピーカーユニット５０で生じる不要な振動などを吸収する機能を有する。エッジ１８の内周縁部は振動板１７の外周縁部に取り付けられている一方、エッジ１８の外周縁部はフレーム１５の上端部の適当な位置に取り付けられている。
【００３６】
キャップ１９は、略ドーム状の形状をなし、スピーカーユニット５０の内部に粉塵や水分等が侵入するのを防止する機能を有する。キャップ１９は、ボイスコイルボビン１３の上面側を覆う位置に配置され、ボイスコイルボビン１３の外周壁の上端部に取り付けられている。
【００３７】
以上の構成を有するスピーカーユニット５０において、アンプ側の出力配線２５から出力された電気信号は、端子部、各錦糸線、ボイスコイル１４のプラス及びマイナスのリード線を介してボイスコイル１４へ供給される。これにより、磁気ギャップ２０内でボイスコイル１４に駆動力が発生し、振動板１７をスピーカー装置１００の中心軸Ｌ１方向に振動させる。こうして、スピーカーユニット５０は、矢印Ｙ３方向に音波を放射する。
【００３８】
次に、上記した構成を有するスピーカーユニット５０を収容する筐体の構成等について説明する。特に、本発明では、かかる筐体の構造に特徴を有している。
【００３９】
筐体は、図１及び図２に示すように、スピーカーユニット５０が取り付けられる第１のキャビネット１と、その第１のキャビネット１と嵌合する第２のキャビネット２と、第１のキャビネット１と第２のキャビネット２とが嵌合した状態で、それらの側面に取り付けられる文字表示用サイドパネル３及び金具取付用サイドパネル４とを備えて構成される。なお、以下では、第１のキャビネット１と第２のキャビネット２とが嵌合した状態のものを単に「キャビネット７０」と称する。
【００４０】
まず、図３及び図４を参照して、第１のキャビネット１の構成について説明する。
【００４１】
図３（ａ）は第１のキャビネット１の正面図を、また、図３（ｂ）は第１のキャビネット１の背面図を夫々示す。図４（ａ）は、第１のキャビネット１の側面図を示す。図４（ｂ）は、図３（ａ）における切断線Ｃ−Ｃ’に沿った断面図を示す。
【００４２】
第１のキャビネット１は、略矩形状の平面形状並びに略三角形状の側面形状をなしている。第１のキャビネット１は、２つのグリル１ａと、複数の鉤部１ｂ及び１ｆと、複数のボルト取付孔１ｃ及び１ｅと、２つの開口１ｄと、を有している。
【００４３】
各グリル１ａは、略円形状の外形形状をなし、金属材料等により網目状に形成されている。各グリル１ａは、スピーカーユニット５０の要素である振動板１７から放射された音波を外部へ通過させる機能を有する。２つのグリル１ａのうち一方のグリル１ａは、他方のグリル１ａに対して、第１のキャビネット１の長手方向の中心を通る中心軸Ｌ３に対して対称的な位置に配置されている。
【００４４】
各鉤部１ｂは、凹状及び鉤状の形状をなしている。各鉤部１ｂは、第１のキャビネット１の正面側において中心軸Ｌ３から第１のキャビネット１の長手方向（上側方向及び下側方向）に一定の距離だけ離れた位置に夫々設けられている。また、各鉤部１ｂは、第１のキャビネット１の正面側とその左側面との間、及び、第１のキャビネット１の正面側とその右側面との間に夫々設けられている。各鉤部１ｂは、後述の文字表示用サイドパネル３及び金具取付用サイドパネル４に夫々設けられた鉤部３ｄ、４ｄと嵌合する。
【００４５】
各鉤部１ｆは、凹状及び鉤状の形状をなしている。各鉤部１ｆは、第１のキャビネット１の背面側の四隅の位置に夫々設けられている。各鉤部１ｆは、文字表示用サイドパネル３及び金具取付用サイドパネル４に夫々設けられた鉤部３ｂ、４ｂと嵌合する。
【００４６】
各ボルト取付孔１ｃは、第１のキャビネット１の背面側に且つ各鉤部１ｆの近傍位置に夫々設けられている。各ボルト取付孔１ｃは、それぞれ、ボルトと嵌合するボルト取付孔であり、第１のキャビネット１と第２のキャビネット２とを嵌合させる際に用いられる。
【００４７】
各ボルト取付孔１ｅは、第１のキャビネット１の背面側に且つ各グリル１ａの外周付近に適宜の間隔をおいて夫々設けられている。各ボルト取付孔１ｅは、それぞれ、ボルトと嵌合するボルト取付孔であり、第１のキャビネット１にスピーカーユニット５０を取り付ける際に用いられる。
【００４８】
各開口１ｄは、第１のキャビネット１の背面側に且つ側面側に且つ中心軸Ｌ３上に夫々設けられている。また、２つの開口１ｄのうち一方の開口１ｄは、他方の開口１ｄに対して、第１のキャビネット１の短手方向の中心を通る中心軸Ｌ２に対して対称的な位置に配置されている。各開口１ｄは、それぞれ、ボルトを挿通するための開口であり、第１のキャビネット１と第２のキャビネット２とを嵌合する際に用いられる。
【００４９】
次に、図５及び図６を参照して、第２のキャビネット２の構成について説明する。
【００５０】
図５（ａ）は第２のキャビネット２の正面図を、また、図５（ｂ）は第２のキャビネット２の背面図を夫々示す。図５（ｃ）は、第２のキャビネット２の内側面に取り付けられる取付金具５の側面図であると共に、図５（ｂ）において矢印Ｙ４方向から観察したときの取付金具５の側面図である。図６（ａ）は、図５（ｂ）において矢印Ｙ４方向から第２のキャビネット２を観察したときの側面図を示す。一方、図６（ｂ）は、図５（ｂ）において矢印Ｙ４方向と逆の矢印Ｙ５方向から第２のキャビネット２を観察したときの側面図を示す。
【００５１】
第２のキャビネット２は、略矩形状の平面形状及び略楕円形状の側面形状をなしている。第２のキャビネット２は、二対の開口２ａと、複数の鉤部２ｂ及び２ｆと、複数の開口２ｃと、複数のボルト取付孔２ｄと、複数の突起２ｅと、２つの開口２ｇと、二対の開口２ｈと、を有している。
【００５２】
二対の開口２ａは、第２のキャビネット２の正面側に、且つ、第２のキャビネット２の長手方向の中心を通る中心軸Ｌ４から、当該長手方向（上側方向及び下側方向）に一定の距離だけ離れた位置に夫々設けられている。また、図５に示すように、二対の開口２ａは夫々第２のキャビネット２の右側面及び左側面の近傍位置に設けられ、紙面右側に設けられた一対の開口２ａは、紙面左側に設けられた他の一対の開口２ａに対して、第２のキャビネット２の短手方向の中心を通る中心軸Ｌ５に対して対称的な位置に配置されている。二対の開口２ａには、後述する文字表示用サイドパネル３に設けられた各突起３ａ及び金具取付用サイドパネル４に設けられた各突起４ａが挿入される。
【００５３】
各鉤部２ｂは、凹状及び鉤状の形状をなしている。各鉤部２ｂは、第２のキャビネット２の正面側に、且つ、中心軸Ｌ４から第２のキャビネット２の長手方向（上側方向及び下側方向）に一定の距離だけ離れた位置に夫々設けられている。また、図５に示すように、各鉤部２ｂは夫々第２のキャビネット２の右側面及び左側面の近傍位置に設けられ、紙面右側に設けられた各鉤部２ｂは、紙面左側に位置する各鉤部２ｂに対して、第２のキャビネット２の短手方向の中心を通る中心軸Ｌ５に対して対称的な位置に配置されている。さらに、各鉤部２ｂの位置から中心軸Ｌ４までの距離は、各開口２ａの位置から中心軸Ｌ４までの距離より大きくなっている。各鉤部２ｂは、後述する文字表示用サイドパネル３に設けられた各鉤部３ｃ及び金具取付用サイドパネル４に設けられた各鉤部４ｃと嵌合する。
【００５４】
各鉤部２ｆは、上記した各鉤部１ｆと同一の形状をなしている。各鉤部２ｆは、第２のキャビネット２の背面側の四隅の位置に夫々設けられている。各鉤部２ｆは、文字表示用サイドパネル３及び金具取付用サイドパネル４に夫々設けられた鉤部３ｂ、４ｂと嵌合する。
【００５５】
各開口２ｃは、第２のキャビネット２の背面側に且つ各鉤部２ｆの近傍位置に夫々設けられている。また、各開口２ｃは、ボルトを挿通するための開口であり、第１のキャビネット１と第２のキャビネット２とを嵌合する際に用いられる。
【００５６】
各ボルト取付孔２ｄは、第２のキャビネット２の背面側に且つ中心軸Ｌ４上に夫々設けられている。２つのボルト取付孔２ｄのうち一方のボルト取付孔２ｄは、他方のボルト取付孔２ｄに対して、第２のキャビネット２の短手方向の中心を通る中心軸Ｌ５に対して対称的な位置に配置されている。また、各ボルト取付孔２ｄは、第１のキャビネット１と第２のキャビネット２とを嵌合させたときに、第１のキャビネット１に設けられた各開口１ｄに対応する位置に夫々設けられている。各ボルト取付孔２ｄは、ボルトを取り付けるためのボルト取付孔であり、第１のキャビネット１と第２のキャビネット２とを嵌合する際に用いられる。
【００５７】
各突起２ｅは、第２のキャビネット２の内側面に適宜の間隔をおいて形成された突起状の部分である。図５（ｂ）において、各突起２ｅは紙面手前側に突出するように形成されている。各突起２ｅは、第１のキャビネット１と第２のキャビネット２とを嵌合させた状態において第１のキャビネット１の内側面と当接し、第１のキャビネット１に対して第２のキャビネット２の移動を規制する働きを有する。
【００５８】
各開口２ｇは、第２のキャビネット２の長手方向に対する左側面の略中央位置及び右側面の略中央位置に夫々形成されている。２つの開口２ｇのうち一方の開口２ｇは、他方の開口２ｇに対応する位置に形成されている。各開口２ｇは、スピーカーユニット５０のボイルコイル１４と端子部において電気的に接続されたアンプ側の出力配線２５を外部、即ちアンプ側へ導出する機能を有する（図１（ｄ）を参照）。
【００５９】
二対の開口２ｈは、第２のキャビネット２の長手方向に対する左側面の略中央位置及び右側面の略中央位置に夫々形成されている。二対の開口２ｈのうち一対の開口２ｈは、他方の一対の開口２ｈに対応する位置に形成されている。二対の開口２ｈのうち、いずれか一方の一対の開口２ｈは、取付金具５を取り付ける際に用いられる。ここで、取付金具５は、図５（ｂ）及び（ｃ）に示すような形態をしており、平板状の第１部分５ａと、平板状の第２部分５ｂとが組み合わされた形状を有している。第２部分５ｂには一対のボルト取付孔５ｃが形成されている。取付金具５は、その一対のボルト取付孔５ｃと上記した二対の開口２ｈのうち、いずれか一方の一対の開口２ｈとが対応するように、第２のキャビネット２の内側面に取り付けられる。なお、第２のキャビネット２の長手方向に対する左内側面に取り付けられる取付金具５と、第２のキャビネット２の長手方向に対する右内側面に取り付けられる取付金具５（図５（ｂ）に示される取付金具５）とは形状が異なり、その両者は対称的な形状をなしている。
【００６０】
次に、図７及び図８を参照して、文字表示用サイドパネル３の構成について説明する。
【００６１】
図７（ｂ）は、文字表示用サイドパネル３の正面図を示す。図７（ａ）は、図７（ｂ）において文字表示用サイドパネル３を矢印Ｙ６方向から観察したときの側面図を示す。一方、図７（ｃ）は、図７（ｂ）において文字表示用サイドパネル３を矢印Ｙ６方向と逆の矢印Ｙ７方向から観察したときの側面図を示す。図８（ｂ）は、文字表示用サイドパネル３の背面図を示す。図８（ａ）は、図８（ｂ）における切断線Ｄ−Ｄ’に沿った断面図を示す。
【００６２】
文字表示用サイドパネル３は、略皿状の形状に形成されている。また、文字表示用サイドパネル３は、略山状の平面形状と略半楕円状の平面形状とを組み合わせた形状をなしている。図１に戻り、文字表示用サイドパネル３は、第１のキャビネット１と第２のキャビネット２とを嵌合させたときに、そのキャビネット７０の矢印Ｙ１方向に対応する側面（図１においてキャビネット７０の長手方向に対する左側面）及び矢印Ｙ２方向に対応する側面（図１においてキャビネット７０の長手方向に対する右側面）のいずれか一方に取り付けられる。文字表示用サイドパネル３の前面３ｘ側には、図示しない商品名、商標或いは商号などの文字がシルク印刷などにより印刷される。文字表示用サイドパネル３の裏面３ｙ側には、複数の突起３ａと、一対の鉤部３ｂ、複数の鉤部３ｃ及び３ｄが形成されている。
【００６３】
各突起３ａは、図８（ｂ）において略半楕円状の平面形状を有する部分の周縁部近傍に且つ文字表示用サイドパネル３の長手方向の中心を通る中心軸Ｌ７から、当該長手方向（左側方向及び右側方向）に一定の距離だけ離れた位置に形成されている。各突起３ａは、図８（ｂ）において、紙面手前側に突出するように形成されている。各突起３ａは、第２のキャビネット２に設けられた各開口２ａに挿入され、第２のキャビネット２に対する、文字表示用サイドパネル３の移動を規制する働きを有する。
【００６４】
一対の鉤部３ｂは、それぞれ、突起状及び略Ｌ字状の形状をなし、文字表示用サイドパネル３の長軸Ｌ６上に且つ文字表示用サイドパネル３の周縁部近傍に夫々形成されている。また、一対の鉤部３ｂのうち一方の鉤部３ｂと、他方の鉤部３ｂとは、中心軸Ｌ７に対して対称的な位置に形成されている。各鉤部３ｂは、第１のキャビネット１と第２のキャビネット２とを嵌合させたときに、第１のキャビネット１の鉤部１ｆ及び第２のキャビネット２の鉤部２ｆと夫々嵌合する。
【００６５】
各鉤部３ｃは、それぞれ、突起状及び略Ｌ字状の形状をなし、図８（ｂ）において略半楕円状の形状を有する部分の周縁部近傍に且つ中心軸Ｌ７から文字表示用サイドパネル３の長手方向（左側方向及び右側方向）に一定の間隔だけ離れた位置に形成されている。また、２つの鉤部３ｃのうち一方の鉤部３ｃと、他方の鉤部３ｃとは、中心軸Ｌ７に対して対称的な位置に形成されている。さらに、各鉤部３ｃの位置から中心軸Ｌ７までの距離は、各突起３ａの位置から中心軸Ｌ７までの距離より大きくなっている。各鉤部３ｃは、第１のキャビネット１と第２のキャビネット２とを嵌合させたときに、第２のキャビネット２に設けられた各鉤部２ｂと嵌合する。
【００６６】
各鉤部３ｄは、図８（ｂ）において略山状の形状を有する部分の周縁部近傍に且つ中心軸Ｌ７から文字表示用サイドパネル３の長手方向（左側方向及び右側方向）に一定の間隔だけ離れた位置に形成されている。また、各鉤部３ｄは、それぞれ、長軸Ｌ６に対して、各突起３ａと略対称的な位置に形成されている。各鉤部３ｄは、図８（ｂ）において、紙面手前側に突出するように形成されている。各鉤部３ｄは、第１のキャビネット１と第２のキャビネット２とを嵌合させたときに、第１のキャビネット１に設けられた各鉤部１ｂと嵌合する。
【００６７】
次に、図９及び図１０を参照して、金具取付用サイドパネル４の構成について説明する。
【００６８】
図９（ｂ）は、金具取付用サイドパネル４の正面図を示す。図９（ａ）は、図９（ｂ）において金具取付用サイドパネル４を矢印Ｙ９方向から観察したときの側面図を示す。一方、図９（ｃ）は、図９（ｂ）において金具取付用サイドパネル４を矢印Ｙ９方向と逆の矢印Ｙ８方向から観察したときの側面図を示す。図１０（ｂ）は、金具取付用サイドパネル４の背面図を示す。図１０（ａ）は、図１０（ｂ）における切断線Ｅ−Ｅ’に沿った断面図を示す。
【００６９】
金具取付用サイドパネル４は、文字表示用サイドパネル３と略同一の形状を有する。金具取付用サイドパネル４は、文字表示用サイドパネル３と同様に、第１のキャビネット１と第２のキャビネット２とを嵌合させたときに、図１におけるキャビネット７０の長手方向に対する左側面及び右側面のいずれか一方に取り付けられる。具体的には、キャビネット７０の長手方向に対する左側面に文字表示用サイドパネル３が取り付けられる場合には、キャビネット７０の長手方向に対する右側面には金具取付用サイドパネル４が取り付けられる一方、キャビネット７０の長手方向に対する左側面に金具取付用サイドパネル４が取り付けられる場合には、キャビネット７０の長手方向に対する右側面には文字表示用サイドパネル３が取り付けられる。
【００７０】
金具取付用サイドパネル４の裏面４ｙ側には、複数の突起４ａと、一対の鉤部４ｂ、複数の鉤部４ｃ及び４ｄなどの各要素が形成されている。それらの各要素は、金具取付用サイドパネル４の裏面４ｙ側において、文字表示用サイドパネル３の裏面３ｙ側に設けられた各要素、即ち、複数の突起３ａ、一組の鉤部３ｂ、複数の鉤部３ｃ及び３ｄに対応する位置に形成されている。このため、金具取付用サイドパネル４の当該各要素は、文字表示用サイドパネル３の各要素と同様の機能を有する。
【００７１】
但し、金具取付用サイドパネル４と文字表示用サイドパネル３を比較した場合、金具取付用サイドパネル４は、くの字状の形状をなす溝４ｇ、二対の開口４ｅ、及び１つの開口４ｆを有する点が文字表示用サイドパネル３と異なっている。溝４ｇは、金具取付用サイドパネル４の前面４ｘ側に形成され、その溝４ｇには、図１（ｄ）に示されるように、フレキシブルアーム６の金具部分６ａが取り付けられる。
【００７２】
なお、フレキシブルアーム６は、周知の部材であり、本発明のスピーカー装置１００を被取付部に取り付ける取付用金具としての役割を果たす。また、フレキシブルアーム６は、被取付部に対するスピーカー装置１００の取付角度を自由に調整することができる機能を有している。また、金具部分６ａには一対の開口６ｂが形成されている。図９（ｂ）及び図１０（ｂ）において、溝４ｇ内に形成された二対の開口４ｅのうち一対の開口４ｅは、金具取付用サイドパネル４の長手方向の中心を通る中心軸Ｌ８に対して、他の一対の開口４ｅと対称的な位置に形成されている。二対の開口４ｅのうち、いずれか一方の一対の開口４ｅは、図１（ｄ）に示すように、ボルトを通じてフレキシブルアーム８の金具部分６ａを取り付ける際に用いられる。
【００７３】
１つの開口４ｆは、溝４ｇの略中央の近傍位置に形成されている。また、１つの開口４ｆは、金具取付用サイドパネル４をキャビネット７０の側面に取り付けたときに、第２のキャビネット２に設けられた開口２ｇと対応する位置に形成されている。１つの開口４ｆは、スピーカーユニット５０の要素であるボイスコイル１４と電気的に接続されたアンプ側の出力配線２５をアンプ側に導出する機能を有する。
【００７４】
以上に述べた構成を有する第１のキャビネット１、第２のキャビネット２、文字表示用サイドパネル３及び金具取付用サイドパネル４を各々組み合わせることにより、スピーカーユニット５０を収容する筐体が作製される。また、その筐体内にスピーカーユニット５０が収容されることにより、図１及び図２に示されるスピーカー装置１００が構成される。
【００７５】
（スピーカー装置の作製方法）
次に、上記の適当な図面を参照して、スピーカー装置１００の作製方法について説明する。なお、以下に示す作製順序はあくまで一例であり、その順序は適宜変更可能である。
【００７６】
まず、第２のキャビネット２の内側面に取付金具５を取り付ける。具体的には、第２のキャビネット２に設けられた二対の開口２ｈのうち、任意の一対の開口２ｈと、取付金具５の一対のボルト取付孔５ｃとの位置を一致させた状態で、第２のキャビネット２の内側面に取付金具５を取り付ける。このようにして、第２のキャビネット２の内側面に取付金具５が取り付けられた状態が、図２（ｂ）及び図５（ｂ）に夫々示されている。
【００７７】
次に、スピーカーユニット５０を第１のキャビネット１の背面側に取り付ける。具体的には、まず、スピーカーユニット５０の要素であるフレーム１５の適当な位置に設けられた各開口（図示略）と、対応する第１のキャビネット１に設けられた各ボルト取付孔１ｅとの位置合わせ行い、スピーカーユニット５０を、第１のキャビネット１の背面側のグリル１ａに対応する位置に配置する。続いて、各ボルトを、第１のキャビネット１の背面側からスピーカーユニット５０の各開口に挿通し、その各ボルトを各ボルト取付孔１ｅに取り付ける。こうして、スピーカーユニット５０が第１のキャビネット１の背面側に取り付けられた状態が図２に示されている。
【００７８】
次に、第１のキャビネット１と第２のキャビネット２とを嵌合して、キャビネット７０を作製する。具体的には、第１のキャビネット１の背面側と、第２のキャビネット２の背面側とを対向させつつ、両者を嵌合する。これにより、キャビネット７０が作製される。第１のキャビネット１と第２のキャビネット２とが嵌合した状態が図１１（ａ）及び（ｂ）に夫々示されている。ここで、図１１（ａ）は、図１（ｃ）において矢印Ｙ２方向から観察したときのキャビネット７０の右側面図を示している。一方、図１１（ｂ）は、図１（ｃ）において矢印Ｙ２方向と逆の矢印Ｙ１方向から観察したときのキャビネット７０の左側面図を示している。なお、このとき、スピーカーユニット５０の要素であるボイスコイル１４と電気的に接続されたアンプ側の出力配線２５は、第２のキャビネット２に設けられた一つの開口２ｇを通じてキャビネット７０の外部へ導出しておく。
【００７９】
こうして作製されたキャビネット７０を観察すると、図１１に示すように、キャビネット７０の左側面と、キャビネット７０の右側面は同一の形状となっており、また、それらの側面は、文字表示用サイドパネル３の背面側及び金具取付用サイドパネル４の背面側と嵌り合う形状になっている。さらに、キャビネット７０の左側面に設けられた鉤部や開口などの各要素は、キャビネット７０の右側面に設けられた鉤部や開口などの各要素に対応する位置に配置されている。
【００８０】
次に、ここでは一例として、キャビネット７０の長手方向に対する右側面に金具取付用サイドパネル４を取り付ける。勿論、本発明では、金具取付用サイドパネル４をキャビネット７０の長手方向に対する左側面に取り付けることは可能である。具体的には、金具取付用サイドパネル４の背面側とキャビネット７０の右側面とを対向させ、さらに、その金具取付用サイドパネル４の背面側に設けられた各突起４ａを、対応する第２のキャビネット２に設けられた各開口２ａに挿入しつつ、その金具取付用サイドパネル４をキャビネット７０側に一定の外力で押し込む。これにより、各鉤部４ｄは、対応する各鉤部１ｂに嵌合する。また、一対の鉤部４ｂのうち一方は、一つの鉤部１ｆ及び２ｆに嵌合すると共に、当該一対の鉤部４ｂのうち他方も、他の一つの鉤部１ｆ及び２ｆに嵌合する。また、各鉤部４ｃは、対応する各鉤部２ｂに嵌合する。また、開口４ｆは、開口２ｇに対応する位置に配置される。なお、このとき、キャビネット７０の開口２ｇを通じて外部へ導出されたアンプ側の出力配線２５は、金具取付用サイドパネル４に設けられた１つの開口４ｆを通じて、その金具取付用サイドパネル４の外部へ導出しておく。こうして、金具取付用サイドパネル４がキャビネット７０の右側面に取り付けられた状態が図１（ｄ）に示されている。
【００８１】
次に、図１（ｄ）に示すように、フレキシブルアーム６を金具取付用サイドパネル４の前面４ｘ側に取り付ける。勿論、本発明では、金具取付用サイドパネル４をキャビネット７０の右側面に取り付ける前に、予め、その金具取付用サイドパネル４にフレキシブルアーム６を取り付けるようにしても構わない。具体的には、フレキシブルアーム６の金具部分６ａに設けられた一対の開口６ｂと、金具取付用サイドパネル４に設けられた二対の開口のうち、対応する一対の開口４ｅとの位置を一致させた状態で、その金具部分６ａを当該金具取付用サイドパネル４の前面４ｘ側に設けられた溝４ｇに配置する。その後、各ボルトを、金具取付用サイドパネル４の前面４ｘ側から、金具部分６ａに設けられた一対の開口６ｂ、一対の開口４ｅの順に挿入し、当該各ボルトを、上記した取付金具５の一対のボルト取付孔５ｃに取り付ける。このようにして、フレキシブルアーム６が金具取付用サイドパネル４に取り付けられた状態が図１（ｄ）に示されている。
【００８２】
次に、キャビネット７０の長手方向に対する左側面に文字表示用サイドパネル３を取り付ける。その方法は、キャビネット７０の右側面に、上記した金具取付用サイドパネル４を取り付ける方法と全く同様である。これにより、各鉤部３ｄは、対応する各鉤部１ｂに嵌合する。また、一対の鉤部３ｂのうち一方は、一つの鉤部１ｆ及び２ｆに嵌合すると共に、当該一対の鉤部３ｂのうち他方も、他の一つの鉤部１ｆ及び２ｆに嵌合する。こうして、文字表示用サイドパネル３がキャビネット７０の左側面に取り付けられた状態が図１（ｂ）に示されている。以上の方法により、図１等に示されるスピーカー装置１００が作製される。
【００８３】
（車室内への取付例）
本発明の第１実施例に係るスピーカー装置１００は、上記したようにサテライト型スピーカー装置である。このため、一般的な使用方法としては、少なくとも左右チャンネル用の一対のスピーカー装置１００を、それぞれ、車室内の後部座席の後方に設けられた左右のリアトリム、或いはアシストグリップなどの部分に吊り下げた状態で用いる。
【００８４】
ここで、車室内への取付方法例について、図１２を参照して説明する。図１２には、車室内の後部座席８７の後方に設けられた左右のリアトリムに、左右チャンネル用の一対のスピーカー装置１００が夫々取り付けられた状態が示されている。なお、図１２において、符号８３は車両のボディを示している。
【００８５】
まずは、破線領域に拡大して示すように、左右チャンネル用の一対のスピーカー装置１００、コの字状の断面形状を有する取付金具８０、ボルト８１、及び、平板状の形状を有するトリム保持用金具８２を用意する。
【００８６】
ここで、左チャンネル用のスピーカー装置１００ａ及び右チャンネル用のスピーカー装置１００ｂは、勿論、本発明の第１実施例に係るスピーカー装置１００を用いる。左チャンネル用のスピーカー装置１００ａには、予め、第２のキャビネット２の右内側面（図５（ｂ）の取付金具５と同位置）に取付金具５（以下、「左用取付金具」とも呼ぶ）が取り付けられている。一方、右チャンネル用のスピーカー装置１００ｂの場合には、その逆、即ち、予め第２のキャビネット２の左内側面（図５（ｂ）の取付金具５に対して逆の位置）に取付金具５（以下、「右用取付金具」とも呼ぶ）が取り付けられている。また、左チャンネル用のスピーカー装置１００ａは、紙面視したときに車室内の右側の空間、換言すれば、車両の進行方向に対して車室内の左側の空間に音波を放射する役割を担う一方、右チャンネル用のスピーカー装置１００ｂは、車両の進行方向に対して車室内の右側の空間に音波を放射する役割を担う。
【００８７】
次に、左右チャンネル用のスピーカー装置１００に夫々フレキシブルアーム６を取り付ける。具体的には、まず、左チャンネル用のスピーカー装置１００ａの場合、それに内蔵された左用取付金具の位置に対応する、金具取付用サイドパネル４の溝４ｇ内にフレキシブルアーム６の金具部分６ａを配置し、続いて、金具取付用サイドパネル４の前面４ｘ側から各ボルトを一対の開口６ｂ及び一対の開口４ｅの順に挿通し、その各ボルトを左チャンネル用取付金具に設けられた一対のボルト取付孔５ｃに取り付ける。これにより、左チャンネル用のスピーカー装置１００ａにフレキシブルアーム６が取り付けられる。かかる状態において、スピーカーユニット５０とフレキシブルアーム６との位置関係は、次のようになっている。即ち、左チャンネル用のスピーカー装置１００ａでは、スピーカーユニット５０が配置されていないグリル１ａの方にフレキシブルアーム６が取り付けられている。また、右チャンネル用のスピーカー装置１００の場合も上記同様の方法により、その内部に取り付けられた右用取付金具の位置に対応する、金具取付用サイドパネル４の溝４ｇ内にフレキシブルアーム６の金具部分６ａを配置し、続いて、金具取付用サイドパネル４の前面４ｘ側から各ボルトを一対の開口６ｂ及び一対の開口４ｅの順に挿通し、その各ボルトを右チャンネル用取付金具に設けられた一対のボルト取付孔５ｃに取り付ける。これにより、右チャンネル用のスピーカー装置１００ｂにフレキシブルアーム６が取り付けられる。かかる状態において、スピーカーユニット５０とフレキシブルアーム６との位置関係は、次のようになっている。即ち、右チャンネル用のスピーカー装置１００ｂでは、スピーカーユニット５０が配置されていないグリル１ａの方にフレキシブルアーム６が取り付けられている。
【００８８】
次に、左右チャンネル用のスピーカー装置１００を、それぞれ、車室内の後部座席８７の後方に設けられた左リアトリム８４ａ及び右リアトリム８４ｂに夫々取り付ける。その方法について、左チャンネル用のスピーカー装置１００ａの場合を例にとり説明する。まず、左チャンネル用のスピーカー装置１００ａに取り付けられたフレキシブルアーム６の一端側に取付金具８０をボルトによって取り付ける。次に、図１２に示すように、左チャンネル用のスピーカー装置１００ａのグリル１ａが座席側に向くようにフレキシブルアーム６の角度調整を行い、続いて、その取付金具８０を左リアトリム８４ａと車両ボディ８３との間に差し込み、続いて、フレキシブルアーム６側から左リアトリム８４ａ側にボルト８１を締め込む。これにより、左リアトリム８４ａは、取付金具８０とトリム保持用金具８２とによって挟み込まれる。こうして、図１２に示すように、左チャンネル用のスピーカー装置１００ａが車室内の左リアトリム８４ａに取り付けられる。また、上記同様の方法により、図１２に示すように、右チャンネル用のスピーカー装置１００ｂが車室内の右リアトリム８４ｂに取り付けられる。
【００８９】
かかる状態において、左チャンネル用のスピーカー装置１００ａと、右チャンネル用のスピーカー装置１００ｂとの相対的な配置関係は次のようになっている。図１２において、左チャンネル用のスピーカー装置１００ａに収容された１つのスピーカーユニット５０は、その２つのグリル１ａのうち紙面左側に位置するグリル１ａに対応する位置に存在している。一方、右チャンネル用のスピーカー装置１００ｂに収容された１つのスピーカーユニット５０は、その２つのグリル１ａのうち紙面右側に位置するグリル１ａに対応する位置に存在している。以上に述べた方法により、左右チャンネル用の一対のスピーカー装置１００が車室内の後部座席８７の後方に設けられた左右のリアトリム８４に夫々取り付けられる。
【００９０】
次に、本発明の第１実施例に係るスピーカー装置１００の特有の作用効果について説明する。
【００９１】
本発明の第１実施例に係るスピーカー装置１００では、音の発生源となるスピーカーユニット５０を収容する第１のキャビネット１と、第２のキャビネット２とを嵌合させたときに作製されるキャビネット７０において、その長手方向に対する一側面（左側面）とその一側面に対向する他の側面（右側面）とは同一形状に形成されている。また、文字表示用サイドパネル３の裏面３ｙ側と、金具取付用サイドパネル４の裏面４ｙ側とは略同一形状に形成されていると共に、その文字表示用サイドパネル３の裏面３ｙ側、及び、金具取付用サイドパネル４の裏面４ｙ側はキャビネット７０の長手方向に対する一側面（左側面）及び他の側面（右側面）の両方に嵌合する形状に形成されている。
【００９２】
このため、車載用のスピーカー装置など、車室内に左右チャンネル用の一対のスピーカー装置を設ける必要がある場合に、特に、次のような利点を有する。
【００９３】
即ち、キャビネット７０の長手方向に対する左側面に文字表示用サイドパネル３又は金具取付用サイドパネル４を取り付けることにより、また、それに対応してキャビネット７０の長手方向に対する右側面に金具取付用サイドパネル４又は文字表示用サイドパネル３を取り付けることにより、容易に、左右チャンネル用の一対のスピーカー装置を構成することができる。換言すれば、第１のキャビネット１、第２のキャビネット２、文字表示用サイドパネル３及び取付金具用サイドパネル４の各構成部品を、左チャンネル用のスピーカー装置と右チャンネル用のスピーカー装置とで共用することができる。よって、本発明によれば、上記に対応する各構成部品を共用することのできないタイプのスピーカー装置と比べて、上記各構成部品を作製するための金型の部品点数を削減することができる。また、上記各構成部品の点数を減らすことができるので、当該各構成部品単位での管理が容易になる。
【００９４】
また、第２のキャビネット２の一側面及びその一側面に対向する他の側面には、スピーカーユニット５０のボイスコイル１４と電気的に接続されたアンプ側の出力配線２５を外部へ導出するための２つの開口２ｇが形成さている。これにより、スピーカーユニット５０のボイスコイル１４と電気的に接続されたアンプ側の出力配線２５を各開口２ｇを通じて外部へ導出することができる。よって、当該出力配線２５とアンプ側の出力端子との接続が可能となる。また、第２のキャビネット２の前記一側面に形成された開口２ｇは、第２のキャビネット２の前記他の側面に形成された開口２ｇに対応する位置に形成されている。このため、当該出力配線２５を前記一側面に形成された開口２ｇを通じて外部へ導出することができる一方、その反対に、当該出力配線２５を前記他の側面に形成された開口２ｇを通じて外部へ導出することができる。よって、左チャンネル用のスピーカー装置１００ａと、右チャンネル用のスピーカー装置１００ｂとで当該出力配線２５の外部への導出方向を異ならせる必要がある場合に、これを実現できる。つまり、左チャンネル用のスピーカー装置１００ａと、右チャンネル用のスピーカー装置１００ｂとで当該出力配線２５を外部へ導出させるときに当該各開口２ｇを共用できる。
【００９５】
また、金具取付用サイドパネル４は、当該金具取付用サイドパネル４をキャビネット７０の一側面又は他の側面に取り付けたときに、第２のキャビネット２の各開口２ｇに対応する位置に１つの開口４ｆを有している。これにより、スピーカーユニット５０のボイスコイル１４と電気的に接続されたアンプ側の出力配線２５を、第２のキャビネット２の開口２ｇ、金具取付用サイドパネル４の開口４ｆを通じて外部へと導出することができる。
【００９６】
［第２実施例］
次に、本発明の第２実施例に係るスピーカー装置の構成等について説明する。
【００９７】
本発明の第２実施例に係るスピーカー装置は、上記第１実施例と略同様の構成である。但し、第２実施例では、第１実施例に係るスピーカー装置１００にバスレフダクトを設けて、バスレフ型スピーカー装置を構成するようにしている点が上記第１実施例と異なっている。このため、以下では、図１３及び図１４等を参照して、その異なる点について説明する。なお、図１３及び図１４において、第１実施例と同一の要素については同一の符号を付し、その説明は省略する。
【００９８】
図１３は、本発明の第２実施例に係るスピーカー装置を正面方向、背面方向、左側面及び右側面方向から夫々観察したときの各図を示す。なお、図１３において、文字表示用サイドパネル３３以外の各要素、即ち、第１のキャビネット１、第２のキャビネット２及び金具取付用サイドパネル４の構成は図１と同様である。図１３（ｃ）はスピーカー装置２００の正面図を、また、図１３（ａ）は、スピーカー装置２００の背面図を夫々示す。図１３（ｂ）は、図１３（ａ）におけるスピーカー装置２００を矢印Ｙ１方向から観察したときの左側面図を示す。図１３（ｄ）は、図１３（ａ）におけるスピーカー装置用２００を矢印Ｙ１方向と逆の矢印Ｙ２方向から観察したときの右側面図を示す。
【００９９】
また、図１４（ｂ）は、第２実施例に係る文字表示用サイドパネル３３の正面図を示す。図１４（ａ）は、図１４（ｂ）において文字表示用サイドパネル３３を矢印Ｙ６方向から観察したときの側面図を示す。一方、図１４（ｃ）は、図１４（ｂ）において文字表示用サイドパネル３３を矢印Ｙ６方向と逆の矢印Ｙ７方向から観察したときの側面図を示す。
【０１００】
第２実施例は、文字表示用サイドパネル３３の構成のみが第１実施例と異なっている。即ち、第２実施例に係る文字表用サイドパネル３３は、図示のように円筒状のバスレフダクト３ｈを有している。バスレフダクト３ｈは、文字表示用サイドパネル３３の裏面側から突出するように形成されている。また、文字表示用サイドパネル３３と金具取付用サイドパネル４を比較してわかるように、バスレフダクト３ｈは、当該金具取付用サイドパネル４に設けられた開口４ｆに対応する位置に形成されている。また、バスレフダクト３ｈは、第１のキャビネット１と第２のキャビネット２とを嵌合させることにより作製されるキャビネット７０の長手方向に対する左側面又は右側面に文字表示用サイドパネル３３を取り付けたときに、第２のキャビネット２の左側面又は右側面に設けられた開口２ｇに対応する位置に形成されている。バスレフダクト３ｈは、第２のキャビネット２に設けられた２つの開口２ｇのうち一方の開口２ｇに挿入された状態で用いられる。なお、このとき、他方の開口２ｇは、スピーカーユニット５０の要素であるボイスコイル１４と電気的に接続されたアンプ側の出力配線２５を外部へ導出させる開口として用いられる。このような構成を有する文字表示用サイドパネル３３が、キャビネット７０の長手方向に対する左側面に取り付けられた状態が図１３（ｃ）に示されている。
【０１０１】
第２実施例に係るスピーカー装置２００では、その駆動時、スピーカーユニット５０の要素である振動板１７の前面側から放射された音波は一方のグリル１ａを通過して外部へ放射される一方、その振動板１７の背面側から放射された音波はバスレフダクト３ｈを通じて外部へ放射される。つまり、第２実施例に係るスピーカー装置２００は、バスレフ型スピーカー装置を構成している。
【０１０２】
以上のような構成を有する第２実施例では、次のような作用効果を奏する。
【０１０３】
即ち、第２実施例に係るスピーカー装置２００において、文字表示用サイドパネル３３は、キャビネット７０の長手方向に対する一側面（左側面）及びその一側面に対向する他の側面（右側面）に形成された第２のキャビネット２の各開口２ｇと対応する位置にバスレフダクト３ｈを有している。このため、文字表示用サイドパネル３３をキャビネット７０の一側面（左側面）に取り付けたときには、当該一側面側にバスレフダクト３ｈを設けることができる一方、その反対に、文字表示用サイドパネル３３をキャビネット７０の他の側面（右側面）に取り付けたときには、当該他の側面にバスレフダクト３ｈを設けることができる。よって、左チャンネル用のスピーカー装置１００ａと、右チャンネル用のスピーカー装置１００ｂとでバスレフダクト３ｈを共用できる。これにより、キャビネット７０の一側面（左側面）に文字表示用サイドパネル３３又は金具取付用サイドパネル４を取り付けることにより、また、それに対応してキャビネット７０の長手方向の他の側面（右側面）に金具取付用サイドパネル４又は文字表示用サイドパネル３３を取り付けることにより、容易に、左右チャンネル用の一対のバスレフ型スピーカー装置を構成することができる。なお、第２実施例におけるその他の作用効果は、上記の第１実施例の作用効果と同様である。
【０１０４】
［変形例］
上記の第１及び第２実施例では、１つのグリル１ａに対応する位置に１つのスピーカーユニット５０を設けるようにしたが、これに限らず、本発明では、２つのグリル１ａに対応する位置にそれぞれスピーカーユニット５０を設けるようにしても構わない。
【図面の簡単な説明】
【０１０５】
【図１】本発明の第１実施例に係るスピーカー装置の正面図、背面図、左側面図及び右側面図を示す。
【図２】図１における各切断線に沿ったスピーカー装置の断面図を示す。
【図３】第１実施例に係る第１のキャビネットの正面図及び背面図を示す。
【図４】第１実施例に係る第１のキャビネットの側面図及び断面図を示す。
【図５】第１実施例に係る第２のキャビネットの正面図及び背面図等を示す。
【図６】第１実施例に係る第２のキャビネットの左側面図及び右側面を示す。
【図７】第１実施例に係る文字表示用サイドパネルの正面図及び各側面図を示す。
【図８】第１実施例に係る文字表示用サイドパネルの背面図及び断面図を示す。
【図９】第１実施例に係る金具取付用サイドパネルの正面図及び各側面図を示す。
【図１０】第１実施例に係る金具取付用サイドパネルの背面図及び断面図を示す。
【図１１】第１実施例に係るキャビネットの左側面図及び右側面図を示す。
【図１２】第１実施例に係るスピーカー装置の車室内への取付例を示す。
【図１３】本発明の第２実施例に係るスピーカー装置の正面図、背面図、左側面図及び右側面図を示す。
【図１４】第２実施例に係る文字表示用サイドパネルの正面図及び各側面図を示す。
【符号の説明】
【０１０６】
１  第１のキャビネット
２  第２のキャビネット
３、３３  文字表示用サイドパネル
３ｈ  バスレフダクト
４  金具取付用サイドパネル
５  取付金具
６  フレキシブルアーム
５０  スピーカーユニット
７０  キャビネット
８４  リアトリム
１００、２００  スピーカー装置
【図１】
2006310961.tif 000003
【図２】
2006310961.tif 000004
【図３】
2006310961.tif 000005
【図４】
2006310961.tif 000006
【図５】
2006310961.tif 000007
【図６】
2006310961.tif 000008
【図７】
2006310961.tif 000009
【図８】
2006310961.tif 000010
【図９】
2006310961.tif 000011
【図１０】
2006310961.tif 000012
【図１１】
2006310961.tif 000013
【図１２】
2006310961.tif 000014
【図１３】
2006310961.tif 000015
【図１４】
2006310961.tif 000016